(57)【特許請求の範囲】
【請求項１】
鉄筋コンクリート造の壁の内部に埋設され、前記壁の上側と下側のいずれか一方の水平材から前記壁側へ突出した振れ止め材に対して前記壁の面内方向に相対移動自在に前記振れ止め材を包囲する縁切り材であり、
前記壁の面内方向に前記振れ止め材が相対移動可能な長さを持ち、前記壁の面外方向に弾性を有し、前記壁を面内方向に見たとき、前記壁の面外方向に対向して前記振れ止め材に接触し、対になる１箇所以上の挟持部を有する断面形状をし、
前記水平材側に、前記壁の端面から前記水平材側へ突出して前記壁の面外方向に開脚し、前記水平材の前記壁側の面に接触する脚部を有し、
前記振れ止め材に接触したときに前記壁の面外方向に弾性変形し、前記振れ止め材を対になる前記挟持部が挟持し、保持することを特徴とする鉄筋コンクリート造壁の振れ止め材保持用縁切り材。
【請求項２】
前記挟持部は前記振れ止め材の高さ方向に距離を置いて複数、形成されていることを特徴とする請求項１に記載の鉄筋コンクリート造壁の振れ止め材保持用縁切り材。
【請求項３】
前記振れ止め材に接触する前記挟持部より前記壁の中心寄りの部分に、前記振れ止め材を前記壁の面外方向に包囲しながら、前記振れ止め材との間に空間が確保される中空部を有することを特徴とする請求項１、もしくは請求項２に記載の鉄筋コンクリート造壁の振れ止め材保持用縁切り材。
【請求項４】
前記下側の水平材を構成する打設直後の流動性を有しているコンクリートより比重が小さいことを特徴とする請求項１乃至請求項３のいずれかに記載の鉄筋コンクリート造壁の振れ止め材保持用縁切り材。
【請求項５】
鉄筋コンクリート造の壁の内部に埋設され、前記壁の上側と下側のいずれか一方の水平材から前記壁側へ突出した振れ止め材に対して前記壁の面内方向に相対移動自在に前記振れ止め材を包囲する縁切り材を前記振れ止め材に外接させた状態で前記振れ止め材の周囲に設置した縁切り材の取付構造であり、
前記縁切り材は前記壁の面内方向に前記振れ止め材が相対移動可能な長さを持つと共に、前記壁の面外方向に弾性を有し、前記振れ止め材の、前記一方の水平材から突出した区間の前記面外方向両側に、前記壁の周囲を補強する補強材が前記縁切り材の長さ方向を向き、前記振れ止め材の表面との間に空隙を確保した状態で配置され、前記縁切り材は前記補強材に厚さ方向に挟まれた状態で、前記補強材に保持されていることを特徴とする鉄筋コンクリート造壁の振れ止め材保持用縁切り材の取付構造。
【発明の詳細な説明】
【技術分野】
【０００１】
本発明は鉄筋コンクリート造の壁を非耐力壁にする上で、上下のいずれかの梁、もしくはスラブ等の水平材との間で前記壁の面内方向の水平力が伝達されないようにするために、水平材中に埋設され、壁側へ突出した振れ止め材を壁の面内方向に相対移動自在に包囲する鉄筋コンクリート造壁の振れ止め材保持用縁切り材と、その壁内での取付構造に関するものである。
【背景技術】
【０００２】
鉄筋コンクリート造の壁を非耐力壁にするために、壁の上下いずれかの側に接続する梁やスラブ等の水平材に埋設され、壁側へ突出した鉄筋等の振れ止め材を、壁内に埋設される筒状の縁切り材で壁の面内方向に相対移動自在に保持する方法がある（特許文献１、２参照）。壁は上下の水平材のいずれかに接合され、他方の水平材には振れ止め材と縁切り材を介して面内方向に相対変位可能に接続される。
【０００３】
振れ止め材が縁切り材内に挿入された状態では、壁の面内方向に振れ止め材の両側と縁切り材の内周面との間に確保されるクリアランスの範囲で振れ止め材が縁切り材に対して相対移動可能になる。
【０００４】
非耐力壁は水平力を伝達させないいずれかの水平材に対しては壁の面内方向の相対移動が許容されながら、面外方向の相対移動が拘束されるように設計されるため、振れ止め材は壁の面内方向の相対移動を自由にしながら、面外方向の移動を拘束するように縁切り材内に挿入される。ここで、振れ止め材と縁切り材が独立して水平材内と壁内に設置される場合に、両者の設置位置に施工誤差が生じたときの対応のために、縁切り材の内周面と振れ止め材の周面との間には多少のクリアランスが確保されることもある。
【先行技術文献】
【特許文献】
【０００５】
【特許文献１】特公平４−１２７９１号公報（請求項１、第３欄第２３行〜第５欄第１７行、第３図、第４図）
【特許文献２】特開昭６４−９０３４４号公報（請求項１、上右欄第５行〜下左欄第１５行、第１図、第２図）
【発明の概要】
【発明が解決しようとする課題】
【０００６】
一方、振れ止め材と縁切り材は水平材と壁のコンクリートの打設時に独立して保持されることから、それぞれのコンクリートの打設時の圧力によりクリアランスの範囲で保持位置から壁の面外方向にずれることが想定されるため、振れ止め材が縁切り材内で面外方向の正しい位置に納まることができない可能性がある。
【０００７】
本発明は上記背景より、振れ止め材を縁切り材内で面外方向の正しい位置に納めることを可能にする鉄筋コンクリート造壁の振れ止め材保持用縁切り材とその取付構造を提案するものである。
【課題を解決するための手段】
【０００８】
請求項１に記載の発明の鉄筋コンクリート造壁の振れ止め材保持用縁切り材は、鉄筋コンクリート造の壁の内部に埋設され、前記壁の上側と下側のいずれか一方の水平材から前記壁側へ突出した振れ止め材に対して前記壁の面内方向に相対移動自在に前記振れ止め材を包囲する縁切り材であり、
前記壁の面内方向に前記振れ止め材が相対移動可能な長さを持ち、前記壁の面外方向に弾性を有し、前記壁を面内方向に見たとき、前記壁の面外方向に対向して前記振れ止め材に接触し、対になる１箇所以上の挟持部を有する断面形状をし、
前記水平材側に、前記壁の端面から前記水平材側へ突出して前記壁の面外方向に開脚し、前記水平材の前記壁側の面に接触する脚部を有し、
前記振れ止め材に接触したときに前記壁の面外方向に弾性変形し、前記振れ止め材を対になる前記挟持部が挟持し、保持することを構成要件とする。
【０００９】
壁３は図３−（ａ）、（ｂ）に示すように上下の水平材４、４の内、いずれか一方の水平材４に振れ止め材２を介して壁３の面内方向に相対変位可能に接続され、他方の水平材４には接合される。水平材４は主に梁、またはスラブである。図３は壁３が一方の水平材４としての下側の梁（スラブ）に相対変位可能に接続され、他方の水平材４としての上側の梁に接合された場合の例を示している。
【００１０】
振れ止め材２は壁３が面内方向に相対変位可能に接続される一方の水平材４中にその側の区間において埋設され、反対側の区間が壁３側へ突出する。振れ止め材２は壁３の厚さの範囲に配置される。振れ止め材２は一方の水平材４に沿った区間では振れ止め材２の高さ方向（軸方向）の全長の内、一方の水平材４側の区間においてその水平材４に埋設される。壁３は振れ止め材２の突出位置に配置される縁切り材１において振れ止め材２に対して壁３の面内方向に相対移動自在であるから、振れ止め材２が突出した一方の水平材４とは反対側の他方の水平材４には接合され、その他方の水平材４と共に挙動する。
【００１１】
壁３は上下いずれか一方の水平材４に相対変位可能に接続され、他方の水平材４に接合されるが、図３に示すように壁３の幅方向の少なくとも片側に柱５が接続する場合には、壁３は柱５にも部分的に面内方向に相対変位可能に接続されることがあるため、振れ止め材２は柱５にも埋設されることがある。振れ止め材２が柱５にも埋設される場合、縁切り材１は柱５の振れ止め材２に対応した位置にも配置される。
【００１２】
振れ止め材２には図１−（ｂ）、図２−（ｂ）に示すように鉄筋のような棒状、またはプレートのような板状の材料が使用される。板状の場合、振れ止め材２の面内方向が壁３の面内方向を向く。振れ止め材２は基本的には水平材４中に壁３の周囲に沿って一列に配置されるが、壁３の面外方向に複数列、配置されることもある。「壁の面外方向」は縁切り材１の厚さ方向であり、振れ止め材２の厚さ方向でもある。壁３の面内方向は縁切り材１の長さ方向でもある。振れ止め材２が棒状の場合を含め、壁３の面外方向を便宜的に振れ止め材２の厚さ方向と言う。振れ止め材２が柱５にも埋設される場合にも、振れ止め材２は壁３の周囲に沿い、柱５の軸方向に沿って配置される。
【００１３】
縁切り材１は振れ止め材２の壁３側への突出位置に対応した位置に配置され、図２−（ｂ）に示すように１個、もしくは図１−（ｂ）に示すように壁３の面内方向に隣接する複数個の振れ止め材２、２を包囲する。縁切り材１は振れ止め材２を包囲した状態で、壁３の面内方向に、振れ止め材２の両側に振れ止め材２との相対変位を許容するためのクリアランスを確保するために、縁切り材１の内周側において振れ止め材２が相対移動可能な長さを持つ。
【００１４】
縁切り材１は振れ止め材２を包囲するが、振れ止め材２には壁３の面外方向両側に係止可能であればよいため、少なくとも壁３の面外方向両側から振れ止め材２を挟み込む形状をすればよい。すなわち、縁切り材１は必ずしも図１、図２に示すように筒状に閉じた形状に形成される必要はなく、図５に示すように板を屈曲させた形状のように壁３の面内方向両側が開放した形状に形成されることもある。
【００１５】
縁切り材１は壁３のコンクリートの打設時に縁切り材１の内周側の空間とコンクリートを仕切る役目も果たすため、縁切り材１自体が筒状に閉じた形状に形成されることには、コンクリートの縁切り材１内部への流入を阻止する意味がある。図５に示すように縁切り材１が長さ方向の両側が開放した形状をする場合には、長さ方向両側にはコンクリートの浸入を阻止するための塞ぎ材１Ａが配置される。
【００１６】
縁切り材１は厚さ方向（壁３の面外方向）に振れ止め材２に係止し得る形状をするが、水平材４からの振れ止め材２の突出方向である高さ方向には、厚さ方向に対向して対になり、振れ止め材２を保持する挟持部１ｃ、１ｃが少なくとも１箇所、形成される。ここで言う「高さ方向」は振れ止め材２の突出方向を言い、壁３の縦断面で見たときには鉛直方向である。縁切り材１は厚さ方向に対になる挟持部１ｃ、１ｃにおいて振れ止め材２を厚さ方向に挟持し、高さ方向の挟持部１ｃ、１ｃ以外の部分において振れ止め材２に係止し得る状態になる。
【００１７】
対になる挟持部１ｃ、１ｃが振れ止め材２を厚さ方向に挟持した状態では、縁切り材１自体が厚さ方向に弾性を有することで、縁切り材１は厚さ方向外側に弾性変形した状態で振れ止め材２を挟持する。縁切り材１は振れ止め材２の保持時に厚さ方向外側に向かって弾性変形し、厚さ方向内側に向かって復元力を発揮した状態で対になる挟持部１ｃ、１ｃが振れ止め材２を厚さ方向に挟持する。縁切り材１は弾性を有すればよく、材料は問われない。弾性を有する材料としては、金属、プラスチック等がある。
【００１８】
縁切り材１が弾性変形状態で振れ止め材２を挟持することで、振れ止め材２と縁切り材１の設置状態で互いに壁３の面外方向に係止した状態になるため、振れ止め材２が縁切り材１の内部で少なくとも厚さ方向にずれることが回避され、振れ止め材２を縁切り材１内で面外方向（厚さ方向）の正しい位置に納めることが可能になる。
【００１９】
また縁切り材１が振れ止め材２を挟持した組み合わせ状態で両者をそれぞれ壁３内と水平材４内に設置することができるため、縁切り材１と振れ止め材２を独立して壁３内と水平材４内に設置し、それぞれを保持した状態でコンクリートを打設する場合より縁切り材１と振れ止め材２の保持方法が簡略化される。
【００２０】
挟持部１ｃが縁切り材の高さ方向に１箇所しか形成されない場合には、振れ止め材２の厚さ方向のずれは回避されながらも、挟持部１ｃ、１ｃが振れ止め材２を挟持した状態で、縁切り材１が長さ方向の軸の回りに振れ止め材２に対して相対的に回転変位しようとする可能性は残る。縁切り材１が振れ止め材２を保持したまま両者がそれぞれ壁３内と水平材４内で設置状態になったときに、例えば壁３のコンクリート打設時に縁切り材１が振れ止め材２に対して回転変位する可能性があれば、縁切り材１と振れ止め材２の設置状態（コンクリート中への埋設状態）で少なくともいずれかに施工誤差を残すことになる。
【００２１】
そこで、図２−（ａ）に示すように挟持部１ｃ、１ｃを振れ止め材２の高さ方向に距離を置いて複数、形成することで（請求項２）、高さ方向の２以上の点で振れ止め材２を挟持することができるため、縁切り材１が振れ止め材２に対して回転変位する可能性が低下する。この結果、縁切り材１が振れ止め材２を保持したときの安定性をより高め、コンクリート打設後の施工誤差の発生の可能性を低下させることが可能になる。
【００２２】
また壁３の上下に位置する水平材４、４間に壁３の面外方向に相対移動が生じたときには、壁３が縁切り材１と振れ止め材２を介して接続された水平材４に対し、回転を伴いながら平行移動しようとする。このとき、縁切り材１の挟持部１ｃ、１ｃ以外の部分の内周面と振れ止め材２の表面との間に十分な空隙がなければ、挟持部１ｃ、１ｃ以外の部分が変形能力を発揮し難いため、縁切り材１が破損する可能性がある。
【００２３】
そこで、振れ止め材２に接触する挟持部１ｃ、１ｃより壁１の中心寄りの部分に、図２に示すように振れ止め材２を壁３の面外方向に包囲しながら、振れ止め材２との間に空間が確保される中空部１ｄを形成すれば（請求項３）、挟持部１ｃ、１ｃ以外の部分に厚さ方向の変形に対する余力を持たせ、変形能力を付与することができるため、縁切り材１の破損を回避することが可能になる。「壁の中心寄り」とは、縁切り材１の高さ方向に、挟持部１ｃ、１ｃを挟んで水平材４から遠い側、または反対側を指す。挟持部１ｃ、１ｃが複数、形成されている場合も、全挟持部１ｃ、１ｃを挟んで水平材４から遠い側を指す。振れ止め材２が柱５にも埋設される場合には、「壁の中心寄り」は挟持部１ｃ、１ｃを挟んで柱５から遠い側を指す。
【００２４】
中空部１ｄは挟持部１ｃ、１ｃより壁１の中心寄りの、振れ止め材２の表面との間に空間（空隙）を確保する部分を指し、振れ止め材２の壁３内での先端部より膨張した形状をする。この場合、中空部１ｄの内周面と振れ止め材２の表面との間に空間が確保されることで、振れ止め材２の表面に密着（接触）している場合より中空部１ｄが伸び変形可能な能力を持ち、壁３が水平材４に対して平行移動しようとするときに、中空部１ｄが変形可能な範囲で壁３の移動に追従することができるため、破損に対する安全性が向上する。「振れ止め材の表面」とは、振れ止め材２の、壁３の面外方向両側を向いた面である。
【００２５】
また縁切り材１の水平材４側に、壁３の端面から水平材４側へ突出して壁３の面外方向に開脚し、水平材４の壁３側の面（壁３との境界面）に接触する脚部１ｅを形成しておけば（請求項１）、縁切り材１を水平材４の壁３側の面に接触させて設置した後の、設置状態での回転に対する安定性を確保することが可能になる。「開脚し」とは、二叉に分岐した部分（片）が壁３の面外方向両側に広がることを言う。
【００２６】
この場合、例えば壁３のコンクリートの打設前の、下側の水平材４のコンクリートの打設後に、その水平材４のコンクリート上に縁切り材１を設置したときに、図１−（ａ）、図２−（ａ）に示すように開脚した脚部１ｅがコンクリートの上面に接触することで、縁切り材１を安定させ易くなるため、壁３の面外方向に縁切り材１が傾斜した状態で設置されることを防止できる効果がある。下側の水平材４のコンクリートの硬化前に縁切り材１を設置した場合でも、流動性を有しているコンクリートの表面上に脚部１ｅが面で載ることで、縁切り材１の質量が分散し、縁切り材１を浮かせ易くなるため、コンクリートが硬化前であっても縁切り材１を設置することが可能になる。
【００２７】
このことは、後述のように縁切り材１自体を打設直後の流動性を有しているコンクリートより比重が小さい材料で製作した場合には（請求項４）、特にコンクリートの天端上に打設直後であっても脚部１ｅを確実に浮かせることができるため、安定性の確保上、有効である。
【００２８】
前記のように縁切り材１と振れ止め材２は前者が後者を保持し、互いにつながった状態でそれぞれ壁３内と水平材４内に設置されることもあり、縁切り材１は壁３のコンクリートの打設時に縁切り材１の内外を仕切る働きをするため、コンクリートの打設の前後を問わずに縁切り材１と振れ止め材２を設置することも可能である。そこで、例えば壁３のコンクリートの打設前の、下側の水平材４のコンクリートの打設後、硬化前に縁切り材１と振れ止め材２を設置することにすれば、振れ止め材２を縁切り材１が保持し続けることができるため、コンクリートの打設圧力に抵抗させるための、振れ止め材２用の保持部材の設置を不要に、または簡略化することが可能である。
【００２９】
ここで、縁切り材１自体を下側の水平材４を構成する打設直後の流動性を有しているコンクリートより比重が小さい材料で製作しておけば（請求項４）、コンクリート中に振れ止め材２を挿入したときに、脚部１ｅの有無、または大きさに関係なく、縁切り材１と振れ止め材２がコンクリート中に沈み込まないように水平材４のコンクリートから浮かせることができるため、振れ止め材２用の保持部材の設置が不要になるか、簡略化される。流動性を有しているコンクリートの比重より小さい材料としては、ポリエチレン、ポリスチレン等のプラスチックがあるが、多くのプラスチックの比重は２．０以下であるため、コンクリートの比重２．２前後程度より小さいため、プラスチックであれば、具体的な素材を問わないことになる。
【００３０】
縁切り材１は単独で、または振れ止め材２を挟持した状態で壁３内に設置されることもあるが、いずれの場合にも、水平材４から壁３側へ突出した振れ止め材２に縁切り材１を外接させて振れ止め材２の周囲に設置する際に、壁３の面外方向（縁切り材１の厚さ方向）に振れ止め材２の両側に配置され、壁３の周囲を補強する補強材７、７に厚さ方向に挟み込まれる形で縁切り材１を保持させることもできる（請求項５）。補強材７、７は縁切り材１の長さ方向を向き、振れ止め材２の表面との間に空隙を確保した状態で、振れ止め材２の両側に配置されるため、縁切り材１の厚さ方向（壁３の面外方向）に並列して配置される。縁切り材１は並列する補強材７、７に厚さ方向に挟まれた状態で、補強材７、７に保持される（請求項５）。補強材７、７が補強する壁３の周囲は壁３の水平材４寄りの部分である。
【００３１】
補強材７、７は壁３の面外方向に振れ止め材２の両側に配置されることで、縁切り材１の厚さ方向両側から縁切り材１を挟み込む状態になるため、縁切り材１は壁３の面内方向に振れ止め材２が相対移動可能な長さを持つと共に、壁３の面外方向に弾性を有していればよい（請求項５）。すなわち、請求項５で使用される縁切り材１は必ずしも請求項１に記載の縁切り材１のように壁３の面外方向に対になる挟持部１ｃ、１ｃを有する必要はないため、請求項５では必ずしも請求項１〜４に記載の縁切り材１を使用する必要はない。
【００３２】
この場合、壁３のコンクリート中に面外方向に並列して配置される補強材７、７が縁切り材１の厚さ方向両側から設置状態の縁切り材１を挟み込む状態になるため、縁切り材１は壁３のコンクリート打設前に並列する補強材７、７間に挟み込まれたまま、面内方向に平行移動させられることにより図５に示すように補強材７、７に挟持された設置状態になる。縁切り材１が並列する補強材７、７に挟持されて設置状態になることで、縁切り材１の厚さ方向の移動が拘束され、厚さ方向の移動に対する安定性が確保される。
【００３３】
縁切り材１が補強材７、７に挟持された状態では、縁切り材１が補強材７、７に厚さ方向に圧力を受け、厚さ方向内側へ弾性変形した状態で並列する補強材７、７に保持されることもある。その場合、縁切り材１は厚さ方向外側に向かって復元力を発揮した状態になるため、補強材７、７に保持された状態での安定性が向上する。
【発明の効果】
【００３４】
上側と下側のいずれか一方の水平材から壁側へ突出した振れ止め材を包囲し、振れ止め材に対して壁の面内方向に相対移動自在に振れ止め材を保持する縁切り材が壁の面外方向に弾性を有し、壁の面外方向に対になり、振れ止め材を挟持する挟持部を有するため、厚さ方向に復元力を発揮した状態で挟持部において振れ止め材を厚さ方向に挟持することができる。
【００３５】
この結果、振れ止め材と縁切り材の設置状態で互いに壁の面外方向に係止した状態になるため、振れ止め材が縁切り材の内部で少なくとも厚さ方向にずれることが回避され、振れ止め材を縁切り材内で面外方向の正しい位置に納めることができる。
【図面の簡単な説明】
【００３６】
【図１】（ａ）は下側の水平材内に埋設される振れ止め材とこれを保持する縁切り材の壁内での設置状態を示した縦断面図、（ｂ）は（ａ）のｘ−ｘ線断面図である。
【図２】（ａ）は下側の水平材内に埋設される振れ止め材を保持した、脚部を有する縁切り材の壁内での設置状態を示した縦断面図、（ｂ）は（ａ）のｙ−ｙ線断面図である。
【図３】（ａ）は壁が幅方向両側の柱間に跨る場合の、下側の水平材内に埋設される振れ止め材の壁周囲における配置状態を示した立面図、（ｂ）は壁が両側の柱間に跨らず、一方の柱に接続され、壁と他方の柱との間に開口部が形成される場合の、下側の水平材内に埋設される振れ止め材の壁周囲における配置状態を示した立面図である。
【図４】図２−（ａ）に示す振れ止め材を保持した縁切り材を下側の水平材の打設直後のコンクリートの天端上に載置するときの様子を示した縦断面図である。
【図５】（ａ）は壁の周囲を補強する補強材に壁の面外方向に挟み込まれた状態で縁切り材を壁内に設置した様子を示した縦断面図、（ｂ）は（ａ）のｚ−ｚ線断面図である。
【発明を実施するための形態】
【００３７】
図１−（ａ）は図３−（ａ）、（ｂ）に示すように鉄筋コンクリート造の壁３の内部に埋設され、壁３の上側と下側のいずれか一方の水平材４から壁３側へ突出した振れ止め材２を包囲し、振れ止め材２に対して壁３の面内方向に相対移動自在に振れ止め材２を保持する縁切り材１の製作例と壁３中での設置例を示す。図３−（ａ）は開口を有する壁３の幅方向両側に柱５、５が接続する場合、（ｂ）は壁３の幅方向片側にのみ柱６が接続する場合の例を示す。
【００３８】
壁３の、縁切り材１が埋設される側の端面と、振れ止め材２が埋設される水平材４とは構造的に縁が切れ、水平材４のコンクリートと壁３のコンクリートは独立して打設されるため、壁３の端面と水平材４との間にはそれぞれのコンクリートを分離打設し、互いに絶縁させるための発泡体、弾性体、シート等の充填材６が充填される。
【００３９】
振れ止め材２は壁３の上下に接続する水平材４、４の内、いずれか一方の水平材４中に埋設されながら、壁３側へ突出する。図３に示すように壁３の幅方向に柱５が接続する場合には、柱５にも埋設されて壁３側へ突出することもある。振れ止め材２が柱５に埋設されるか否かを問わず、壁３は上下のいずれか他方の水平材４には接合され、その他方の水平材４と一体的に挙動する。水平材４は主に梁、もしくはスラブであり、振れ止め材２の水平材４寄りの区間は梁かスラブのいずれかに埋設されるが、図５−（ａ）に示すように上階か下階の壁３に埋設されることもある。
【００４０】
縁切り材１は図１−（ｂ）、図２−（ｂ）に示すように壁３の面内方向に、縁切り材１の内部において振れ止め材２が相対移動可能な長さを持ち、壁３の面外方向（厚さ方向）に弾性を有し、水平材４寄りの端面は振れ止め材２が高さ方向に挿入可能に開放する。縁切り材１はまた、壁３を面内方向（長さ方向）に見たとき、壁３の面外方向に対向して振れ止め材２に接触し、対になる１箇所以上の挟持部１ｃ、１ｃを有する。
【００４１】
縁切り材１は振れ止め材２に外接したときに厚さ方向外側に弾性変形し、厚さ方向内側に復元しようとするときに対になる挟持部１ｃ、１ｃが振れ止め材２を挟持し、吊り上げ可能に保持する。壁３の面内方向は縁切り材１の長さ方向であり、壁３の面外方向は縁切り材１の厚さ方向である。
【００４２】
縁切り材１は全体として少なくとも壁３の面外方向に対向し、振れ止め材２を壁３の面外方向に挟み込む保持板１ａ、１ａと、保持板１ａ、１ａを壁３の中心寄りでつなぎ、両保持板１ａ、１ａを連続させるつなぎ部１ｂの２部分を持ち、保持板１ａ、１ａの高さは振れ止め材２の、壁３周囲の水平材４から壁３側へ突出した区間より長い。縁切り材１、あるいは保持板１ａの高さは壁３を鉛直断面で見たときの高さを言う。挟持部１ｃ、１ｃは保持板１ａ、１ａの高さ方向の一部に形成される。「高さ方向」は振れ止め材２の水平材４からの突出方向であり、壁３を縦断面で見たときの高さ方向である。
【００４３】
保持板１ａ、１ａの水平材４側である、つなぎ部１ｂの反対側は開放し、振れ止め材２が高さ方向に挿入されたまま、縁切り材１の長さ方向に縁切り材１に対して相対移動可能になっている。縁切り材１が有する厚さ方向の弾性は保持板１ａ、１ａとつなぎ部１ｂが有し、主に対向する保持板１ａ、１ａが振れ止め材２を保持するときに厚さ方向外側へ弾性変形し、内側へ復元しようとするときの復元力が挟持部１ｃ、１ｃから振れ止め材２に作用する。
【００４４】
壁３のコンクリートは、壁３内での縁切り材１の設置状態で水平材４側の開放した端面から振れ止め材２が挿入された状態で打設され、縁切り材１は壁３のコンクリート中に埋設されたときに、振れ止め材２が縁切り材１の長さ方向に相対移動可能な連続した空間を、水平材３に面する状態で形成する。
【００４５】
縁切り材１はつなぎ部１ｂにおいて壁３の中心側から振れ止め材２を覆い、連続する保持板１ａ、１ａとつなぎ部１ｂによって壁３のコンクリートから振れ止め材２を保護し、壁３のコンクリート中に振れ止め材２が埋め込まれることを回避する。縁切り材１が壁３のコンクリートの打設時に振れ止め材２をコンクリートから保護することで、図１−（ｂ）、図２−（ｂ）に示すようにコンクリートの硬化後に縁切り材１の内周側に振れ止め材２が縁切り材１に対して壁３の面内方向に相対移動可能な空間が形成される。図１、図２は縁切り材１が筒状に形成され、縁切り材１の長さ方向の側面が閉鎖している場合の製作例を示している。この場合、縁切り材１の長さ方向両側には厚さ方向に対向する保持板１ａ、１ａを互いにつなぎ、縁切り材１の長さ方向両側面を閉塞する端板１ｇが保持板１ａ、１ａに連続して形成される。
【００４６】
対になる挟持部１ｃ、１ｃは厚さ方向に対向する保持板１ａ、１ａの対向する面の、高さ方向の同一位置に、互いに対向する側へ向け、突起状に突出して形成される。挟持部１ｃ自体の断面形状は問われないが、挟持部１ｃは保持板１ａ、１ａの内周側の先端において振れ止め材２の厚さ方向の表面に接触することで、挟持部１ｃ以外の部分が振れ止め材２に接触しない状態に保つ。
【００４７】
図１は各保持板１ａの高さ方向に１箇所、挟持部１ｃが形成された縁切り材１の製作例と壁３内での設置例を示す。保持板１ａ、１ａが対向する方向に対になる挟持部１ｃ、１ｃの先端間の、振れ止め材２を挟持しない状態での距離は縁切り材１の設置状態で振れ止め材２の表面に圧力を持って接触するよう、保持板１ａ、１ａが対向する方向の、振れ止め材２の表面間距離より小さい。挟持部１ｃは図１−（ａ）に示す縁切り材１の長さ方向に直交する断面（縦断面）上、先端において点、もしくは線で振れ止め材２の表面に接触する断面形状に形成される。
【００４８】
対になる挟持部１ｃ、１ｃが振れ止め材２の表面に圧力を持って密着することで、両挟持部１ｃ、１ｃが振れ止め材２を挟持した状態では、縁切り材１は前記のように壁３内での設置前においても振れ止め材２を吊り上げ得る能力を持ち、振れ止め材２との一体性を確保する。挟持部１ｃ、１ｃが圧力を持って振れ止め材２の表面に密着することは、保持板１ａ、１ａとつなぎ部１ｂが有する弾性による復元力に基づく。
【００４９】
図１−（ｂ）は（ａ）のｘ−ｘ線の断面を示す。ここでは１個の縁切り材１が３本の棒状の振れ止め材２を包囲している場合の例を示しているが、基本的には図２−（ｂ）に示すように１個の縁切り材１は１本の振れ止め材２を包囲する。縁切り材１が包囲する棒状の振れ止め材２の本数に関係なく、縁切り材１の長さ方向両側の内周面とそれに近い振れ止め材２との間には、壁３と水平材４との間に想定される相対移動量を見込んだ距離が確保される。図２−（ｂ）は（ａ）のｙ−ｙ線の断面を示す。
【００５０】
縁切り材１は対向する保持板１ａ、１ａの水平材４側の端部（端面）が水平材４のコンクリートとの境界面にコンクリートが硬化を始めた時点以後に接触すれば、振れ止め材２を保持したままであっても、水平材４の境界面に突き当たった状態で設置状態を維持することができる。但し、図１、図２では水平材４のコンクリートの打設直後であっても縁切り材１をコンクリートの表面に接触させて設置することができるよう、保持板１ａ、１ａの水平材４側の端部に脚部１ｅ、１ｅを形成している。
【００５１】
脚部１ｅ、１ｅは図１−（ａ）に示すように保持板１ａ、１ａの水平材４側の端部から連続し、壁３の端面から水平材４側へ突出しながら壁３の面外方向に開脚するように形成され、水平材４の壁３側の表面（境界面）に接触する。脚部１ｅ、１ｅは保持板１ａ、１ａの水平材４側に、水平材４の表面に接触し得る位置に、保持板１ａ、１ａが対向する面の反対側へ屈曲、もしくは湾曲し、張り出すように形成される。
【００５２】
図１−（ａ）は脚部１ｅの幅が各保持板１ａの水平材４側の端部から、壁３の面外方向外側へ壁３の表面に到達しない程度に留まる場合の例を示しているが、縁切り材１の壁３内での設置状態での安定性を増すために、図２−（ａ）に示すように脚部１ｅに、壁３の表面に到達する程度の幅を持たせることもある。図２−（ａ）ではまた、脚部１ｅの水平材４側の面に水平材４のコンクリート中に埋設可能な定着部１ｆを形成している。
【００５３】
定着部１ｆは水平材４の硬化前のコンクリート中に入り込むことで、少なくとも脚部１ｅの表面をコンクリートの表面から浮かせ、脚部１ｅのコンクリートからの目標（設定）のレベルを確保する役目を持つ。この作用は縁切り材１自体が打設直後の流動性を有しているコンクリートより比重が小さい材料、例えばプラスチックで成型されている場合に効果的に生ずる。コンクリートの比重は２．２前後程度であるため、縁切り材１がプラスチック製であれば、具体的な素材を問わずに縁切り材１を流動性を有しているコンクリートから浮上させることが可能である。
【００５４】
特にプラスチックが１．０前後程度の比重のポリエチレン、ポリプロピレン等の軽量の素材であれば、振れ止め材２が７．０より大きい比重の鉄筋である場合にも、図４に示すように縁切り材１が振れ止め材２を支持しながら（吊り上げながら）も、振れ止め材２付きの縁切り材１をコンクリートから浮かせることが可能である。図４は図２−（ａ）に示す振れ止め材２を保持した縁切り材１を下側の水平材４を構成する打設直後の流動性を有しているコンクリートの表面上に設置するときの様子を示している。
【００５５】
挟持部１ｃは図１−（ａ）に示すように各保持板１ａの高さ方向に１箇所、形成されればよいが、厚さ方向に対になる挟持部１ｃ、１ｃが振れ止め材２を挟持したときの、振れ止め材２との相対的な回転に対する安定性を高め、回転しにくくする上では、図２−（ａ）に示すように各保持板１ａに付き、高さ方向に距離を置いた２箇所以上に挟持部１ｃを形成することが望ましい。挟持部１ｃが保持板１ａの高さ方向に２箇所以上、形成された場合には、図４に示すように縁切り材１が振れ止め材２を支持したときの縁切り材１の支持能力が増す利点もある。
【００５６】
図２−（ａ）ではまた、保持板１ａの挟持部１ｃ以外の部分に縁切り材１の高さ方向と厚さ方向の変形能力を持たせ、挟持部１ｃが連続する方向に平行な軸回りに壁３が振れ止め材２に対して相対的な回転変位を生じようとするときの、縁切り材１の追従性を高めるために、保持板１ａ、１ａをつなぐつなぎ部１ｂの内周面である振れ止め材２側の面に、振れ止め材２の表面との間に距離を確保する中空部１ｄを形成している。中空部１ｄはつなぎ部１ｂの頂部から挟持部１ｃまでの区間に形成され、この区間が縦断面上、曲線状に形成されることで、高さ方向と厚さ方向の２方向に伸縮能力を保有するため、縁切り材１自体は振れ止め材２に対して回転変形しなくても壁３に追従することが可能になる。
【００５７】
図５−（ａ）、（ｂ）は縁切り材１を振れ止め材２に外接させた状態で振れ止め材１の周囲に設置し、壁３の周囲を補強する補強材７、７に厚さ方向に保持させたときの縁切り材１の設置例を示す。この例では振れ止め材２の、一方の水平材４から突出した区間の面外方向両側に補強材７、７が縁切り材１の長さ方向を向き、振れ止め材２の表面との間に空隙を確保した状態で配置される。縁切り材１はこの振れ止め材２の表面と補強材７、７との間の空隙に縁切り材１の長さ方向に差し込まれることで、補強材７、７に厚さ方向に挟まれた状態で、補強材７に保持される。
【００５８】
補強材７は壁３の水平材４側に縁切り材１が配置されることによって縁切り材１の対向する保持板１ａ、１ａ間に空間が形成されることに伴い、縁切り材１の厚さ方向両側のコンクリートを補強するためにコンクリート中に埋設されるため、縁切り材１の厚さ方向の両外側に、保持板１ａ、１ａに沿って配置される。図５では補強材７に鉄筋の一部を使用しているが、壁３内に配筋されている鉄筋を阻害しない形状であれば、補強材７の形態は問われない。
【００５９】
図５−（ａ）は壁３、３が上下に隣接する箇所に縁切り材１と振れ止め材２を配置した場合の例を示している。ここでは上下に隣接する壁３、３の内、壁３としての上側の壁３内に縁切り材１が埋設され、下側の水平材４としての壁３内に振れ止め材２が埋設され、上側の壁３側へ突出している。
【００６０】
補強材７は縁切り材１の長さ方向には図５−（ａ）のｚ−ｚ線の断面図である（ｂ）に示すように縁切り材１の長さ程度の長さを持ち、縁切り材１の厚さ方向に対向する保持板１ａ、１ａの外側の表面に接触し得る位置に配置される。図面では保持板１ａ、１ａの高さ方向の中間部の挟持部１ｃ、１ｃを、保持板１ａ、１ａが対向する側へ湾曲しながら突出するような曲面状に形成し、相対的に縁切り材１の厚さ方向外側に凹曲面になった部分に補強材７を配置している。
【００６１】
図５−（ａ）では縁切り材１が配置される壁３の下に位置する水平材４としての壁３内に埋設される振れ止め材２の回りに鉄筋が配筋されていることから、縁切り材１は振れ止め材２を挟持しない状態で、壁３内の並列する補強材７、７間に対向する保持板１ａ、１ａが挟まれたまま、縁切り材１の長さ方向に、長さ方向中央部で挟持部１ｃ、１ｃが振れ止め材２を挟持する位置にまでスライドさせられることにより設置状態になる。
【００６２】
図５は１枚の弾性を有する板を折り曲げ加工することにより脚部１ｅと、挟持部１ｃと中空部１ｄを有する縁切り材１を形成した場合の例を示している。この場合、縁切り材１は長さ方向の両端が開放した非筒状の形状になることから、壁３のコンクリートの打設時に長さ方向両端からのコンクリートの縁切り材１内部への浸入を阻止するために、長さ方向両端には図５−（ｂ）に示すように塞ぎ材１Ａが配置される。
【符号の説明】
【００６３】
１……縁切り材、１ａ……保持板、１ｂ……つなぎ部、１ｃ……挟持部、１ｄ……中空部、１ｅ……脚部、１ｆ……定着部、１ｇ……端板、１Ａ……塞ぎ材、
２……振れ止め材、
３……壁、
４……水平材、５……柱、
６……充填材、
７……補強材。
【図１】
0006553467.tif 000002
【図２】
0006553467.tif 000003
【図３】
0006553467.tif 000004
【図４】
0006553467.tif 000005
【図５】
0006553467.tif 000006